【手続補正書】
【提出日】平成27年1月29日(2015.1.29)
【手続補正１】
【補正対象書類名】特許請求の範囲
【補正対象項目名】全文
【補正方法】変更
【補正の内容】
【特許請求の範囲】
【請求項１】
トップシートと、バックシートと、前記トップシート及び前記バックシートの間に設けられた吸収体とを備えた吸収性物品であって、
前記トップシートが、液体の供給を受ける液体被供給領域に、伸張可能な蛇腹部が形成された伸張性領域と、前記伸張性領域を包囲する可撓性領域とを有する液体透過性シートであり、
前記液体透過性シートが、前記蛇腹部が二次伸張可能に一次伸張し、前記伸張性領域が前記吸収性物品の厚さ方向に隆起する隆起部を形成するように設けられており、
前記液体透過性シートが、前記隆起部の内部に前記吸収体の一部が充填されるように設けられている、前記吸収性物品。
【請求項２】
前記トップシートが、前記液体被供給領域に、伸張可能な蛇腹部が形成された複数の伸張性領域と、各伸張性領域を包囲する可撓性領域とを有する液体透過性シートであり、
前記液体透過性シートが、各伸張性領域の蛇腹部が二次伸張可能に一次伸張し、各伸張性領域が前記吸収性物品の厚さ方向に隆起する隆起部を形成するように設けられている、請求項１に記載の吸収性物品。
【請求項３】
前記可撓性領域が網目状に形成されており、各網目の内側に前記伸張性領域が形成されている、請求項２に記載の吸収性物品。
【請求項４】
前記可撓性領域が、前記液体透過性シートの長手方向と交差する方向に延設され、略平行に並設された略直線状の第１の領域と、前記第１の領域と交差する方向に延設され、略平行に並設された略直線状の第２の領域とを有する、請求項３に記載の吸収性物品。
【請求項５】
前記蛇腹部が、前記液体透過性シートの長手方向に延設され、前記液体透過性シートの幅方向に並設され、前記幅方向に沿った断面が波状である山折り部及び谷折り部を有する、請求項１〜４のいずれか１項に記載の吸収性物品。
【請求項６】
前記液体透過性シートが、前記液体被供給領域が凸状変形し、前記凸状変形によって生じる前記可撓性領域の弾性復元力により前記吸収体の一部が圧縮されるように設けられており、
前記隆起部の内部に充填されている前記吸収体の一部よりも、前記可撓性領域の弾性復元力により圧縮されている前記吸収体の一部の方が、高密度となっている、請求項１〜５のいずれか一項に記載の吸収性物品。
【請求項７】
前記伸張性領域に液体透過孔が形成されており、前記可撓性領域に液体透過孔が形成されていない、請求項１〜６のいずれか１項に記載の吸収性物品。
【請求項８】
前記液体被供給領域の周縁部に圧搾溝が形成されている、請求項１〜７のいずれか１項に記載の吸収性物品。
【請求項９】
前記トップシートが、０．００〜０．６０のＩＯＢと、４５℃以下の融点と、２５℃の水１００ｇに対する、０．００〜０．０５ｇの水溶解度とを有する血液改質剤を含む、請求項１〜８のいずれか１項に記載の吸収性物品。
【請求項１０】
前記血液改質剤が、下記（ｉ）〜（ｉｉｉ）：
（ｉ）炭化水素；
（ｉｉ）  （ｉｉ−１）炭化水素部分と、（ｉｉ−２）前記炭化水素部分のＣ−Ｃ単結合間に挿入された、カルボニル基（−ＣＯ−）及びオキシ基（−Ｏ−）から成る群から選択される、一又は複数の、同一又は異なる基とを有する化合物；及び
（ｉｉｉ）  （ｉｉｉ−１）炭化水素部分と、（ｉｉｉ−２）前記炭化水素部分のＣ−Ｃ単結合間に挿入された、カルボニル基（−ＣＯ−）及びオキシ基（−Ｏ−）から成る群から選択される、一又は複数の、同一又は異なる基と、（ｉｉｉ−３）前記炭化水素部分の水素原子を置換する、カルボキシル基（−ＣＯＯＨ）及びヒドロキシル基（−ＯＨ）から成る群から選択される、一又は複数の、同一又は異なる基とを有する化合物；
並びにそれらの任意の組み合わせから成る群から選択され、
ここで、（ｉｉ）又は（ｉｉｉ）の化合物において、オキシ基が２つ以上挿入されている場合には、各オキシ基は隣接していない、
請求項９に記載の吸収性物品。
【請求項１１】
前記血液改質剤が、下記（ｉ’）〜（ｉｉｉ’）：
（ｉ’）炭化水素；
（ｉｉ’）  （ｉｉ’−１）炭化水素部分と、（ｉｉ’−２）前記炭化水素部分のＣ−Ｃ単結合間に挿入された、カルボニル結合（−ＣＯ−）、エステル結合（−ＣＯＯ−）、カーボネート結合（−ＯＣＯＯ−）、及びエーテル結合（−Ｏ−）から成る群から選択される、一又は複数の、同一又は異なる結合とを有する化合物；及び
（ｉｉｉ’）  （ｉｉｉ’−１）炭化水素部分と、（ｉｉｉ’−２）前記炭化水素部分のＣ−Ｃ単結合間に挿入された、カルボニル結合（−ＣＯ−）、エステル結合（−ＣＯＯ−）、カーボネート結合（−ＯＣＯＯ−）、及びエーテル結合（−Ｏ−）から成る群から選択される、一又は複数の、同一又は異なる結合と、（ｉｉｉ’−３）前記炭化水素部分の水素原子を置換する、カルボキシル基（−ＣＯＯＨ）及びヒドロキシル基（−ＯＨ）から成る群から選択される、一又は複数の、同一又は異なる基とを有する化合物；
並びにそれらの任意の組み合わせから成る群から選択され、
ここで、（ｉｉ’）又は（ｉｉｉ’）の化合物において、２以上の同一又は異なる結合が挿入されている場合には、各結合は隣接していない、
請求項９又は１０に記載の吸収性物品。
【請求項１２】
前記血液改質剤が、下記（Ａ）〜（Ｆ）：
（Ａ）  （Ａ１）鎖状炭化水素部分と、前記鎖状炭化水素部分の水素原子を置換する２〜４個のヒドロキシル基とを有する化合物と、（Ａ２）鎖状炭化水素部分と、前記鎖状炭化水素部分の水素原子を置換する１個のカルボキシル基とを有する化合物とのエステル；
（Ｂ）  （Ｂ１）鎖状炭化水素部分と、前記鎖状炭化水素部分の水素原子を置換する２〜４個のヒドロキシル基とを有する化合物と、（Ｂ２）鎖状炭化水素部分と、前記鎖状炭化水素部分の水素原子を置換する１個のヒドロキシル基とを有する化合物とのエーテル；
（Ｃ）  （Ｃ１）鎖状炭化水素部分と、前記鎖状炭化水素部分の水素原子を置換する、２〜４個のカルボキシル基とを含むカルボン酸、ヒドロキシ酸、アルコキシ酸又はオキソ酸と、（Ｃ２）鎖状炭化水素部分と、前記鎖状炭化水素部分の水素原子を置換する１個のヒドロキシル基とを有する化合物とのエステル；
（Ｄ）鎖状炭化水素部分と、前記鎖状炭化水素部分のＣ−Ｃ単結合間に挿入された、エーテル結合（−Ｏ−）、カルボニル結合（−ＣＯ−）、エステル結合（−ＣＯＯ−）、及びカーボネート結合（−ＯＣＯＯ−）から成る群から選択されるいずれか１つの結合とを有する化合物；
（Ｅ）ポリオキシＣ2〜6アルキレングリコール、又はそのアルキルエステル若しくはアルキルエーテル；及び
（Ｆ）鎖状炭化水素；
並びにそれらの任意の組み合わせから成る群から選択される、請求項９〜１１のいずれか１項に記載の吸収性物品。
【請求項１３】
前記血液改質剤が、（ａ1）鎖状炭化水素テトラオールと少なくとも１の脂肪酸とのエステル、（ａ2）鎖状炭化水素トリオールと少なくとも１の脂肪酸とのエステル、（ａ3）鎖状炭化水素ジオールと少なくとも１の脂肪酸とのエステル、（ｂ1）鎖状炭化水素テトラオールと少なくとも１の脂肪族１価アルコールとのエーテル、（ｂ2）鎖状炭化水素トリオールと少なくとも１の脂肪族１価アルコールとのエーテル、（ｂ3）鎖状炭化水素ジオールと少なくとも１の脂肪族１価アルコールとのエーテル、（ｃ1）４個のカルボキシル基を有する鎖状炭化水素テトラカルボン酸、ヒドロキシ酸、アルコキシ酸又はオキソ酸と、少なくとも１の脂肪族１価アルコールとのエステル、（ｃ2）３個のカルボキシル基を有する鎖状炭化水素トリカルボン酸、ヒドロキシ酸、アルコキシ酸又はオキソ酸と、少なくとも１の脂肪族１価アルコールとのエステル、（ｃ3）２個のカルボキシル基を有する鎖状炭化水素ジカルボン酸、ヒドロキシ酸、アルコキシ酸又はオキソ酸と、少なくとも１の脂肪族１価アルコールとのエステル、（ｄ1）脂肪族１価アルコールと脂肪族１価アルコールとのエーテル、（ｄ2）ジアルキルケトン、（ｄ3）脂肪酸と脂肪族１価アルコールとのエステル、（ｄ4）ジアルキルカーボネート、（ｅ1）ポリオキシＣ2〜6アルキレングリコール、（ｅ2）ポリオキシＣ2〜6アルキレングリコールと少なくとも１の脂肪酸とのエステル、（ｅ3）ポリオキシＣ2〜6アルキレングリコールと少なくとも１の脂肪族１価アルコールとのエーテル、（ｅ4）ポリオキシＣ2〜6アルキレングリコールと、鎖状炭化水素テトラカルボン酸、鎖状炭化水素トリカルボン酸、又は鎖状炭化水素ジカルボン酸とのエステル、（ｅ5）ポリオキシＣ2〜6アルキレングリコールと、鎖状炭化水素テトラオール、鎖状炭化水素トリオール、又は鎖状炭化水素ジオールとのエーテル、及び（ｆ1）鎖状アルカン、並びにそれらの任意の組み合わせから成る群から選択される、請求項９〜１２のいずれか１項に記載の吸収性物品。